(57)【要約】【課題】送付者と送付先とのコミュニケーションを深め易くすることができる情報処理装置を提供すること。【解決手段】画像を送付する送付先に関する情報を取得する送付先情報取得部と、送付先に関する情報と、送付者に関する情報とから、一致する部分を抽出する一致部分抽出部と、一致部分抽出部が抽出した部分を用いて、複数の画像の中から、送付先に送付する送付画像を選択する送付画像選択部とを備える。【選択図】図１
2015069306.tif 000002
【特許請求の範囲】
【請求項１】
画像を送付する送付先に関する情報を取得する取得部と、
前記取得部によって取得した前記送付先に関する情報と画像を送付する送付者に関する情報とから一致する部分を抽出する抽出部と、
前記抽出部が抽出した前記一致する部分を用いて、複数の画像の中から、前記送付先に送付する送付画像を選択する選択部とを備える
ことを特徴とする情報処理装置。
【請求項２】
前記選択部は、前記複数の画像の中から、前記一致する部分に応じたオブジェクトの画像を含む画像を、前記送付画像として選択する
ことを特徴とする請求項１に記載の情報処理装置。
【請求項３】
前記選択部は、前記複数の画像のうち、少なくとも一部について、前記一致する部分に応じたオブジェクトの写りの良さを示す値を用いて、前記送付画像を選択する
ことを特徴とする請求項２に記載の情報処理装置。
【請求項４】
前記選択部は、前記抽出部によって、前記複数の画像の中から前記一致する部分を用いて抽出された複数の候補画像のうち、送付者が指定した画像を前記送付画像とする
ことを特徴とする請求項１から請求項３のいずれか一項に記載の情報処理装置。
【請求項５】
前記取得部は、前記送付先が少なくとも送付者に公開している画像を参照して、前記送付先の嗜好を表す情報を生成する
ことを特徴とする請求項１から請求項４のいずれか一項に記載の情報処理装置。
【請求項６】
前記選択部は、前記一致する部分に対応するオブジェクトであって、前記送付先が少なくとも送付者に公開している画像に写っていないオブジェクトの画像を含む画像を、前記複数の画像の中から、前記送付画像として選択することを特徴とする請求項１から請求項５のいずれか一項に記載の情報処理装置。
【請求項７】
前記送付画像選択部は、過去に送付画像として選択した画像を、同一の送付先の送付画像として選択しないことを特徴とする請求項１から請求項６のいずれか一項に記載の情報処理装置。
【請求項８】
コンピュータを、
画像を送付する送付先に関する情報を取得する取得部、
前記取得部によって取得した前記送付先に関する情報と画像を送付する送付者に関する情報とから一致する部分を抽出する抽出部、
前記抽出部が抽出した前記一致する部分を用いて、複数の画像の中から、前記送付先に送付する送付画像を選択する選択部
として機能させるためのプログラム。
【請求項９】
コンピュータを、
画像を送付する送付先の嗜好を表す情報を取得する取得部、
前記嗜好を表す情報に応じた画像処理を、前記画像に施す画像処理部、
として機能させるためのプログラム。
【発明の詳細な説明】
【技術分野】
【０００１】
本発明は、情報処理装置およびプログラムに関する。
【背景技術】
【０００２】
従来、ネットワークを介した画像の閲覧の際に、利用者の興味がわくように表示を行うシステムがある。このシステムは、操作者以外の他人に関する情報と、操作者が有する画像の属性情報とから、画像選択条件を設定し、この画像選択条件に基づいて、他人が有する画像を選択する。そして、該システムは、操作者が有する画像と、選択された画像とを対比させて表示する（例えば、特許文献１参照）。
【先行技術文献】
【特許文献】
【０００３】
【特許文献１】特開２００７−４７８４７号公報
【発明の概要】
【発明が解決しようとする課題】
【０００４】
しかしながら、上述のシステムにおいては、画像を見るものにとって、興味がわくような表示を行うことができるが、ユーザが画像の送付者となり、送付先に画像を送付する場合、画像の送付者にとって興味がわくようになっているわけではないため、画像の送付者と画像の送付とのコミュニケーションには役立たないことがあるという問題がある。
【０００５】
本発明は、このような事情に鑑みてなされたもので、画像を送付する送付者と、送付先とのコミュニケーションを深め易くすることができる情報処理装置およびプログラムを提供する。
【課題を解決するための手段】
【０００６】
この発明は上述した課題を解決するためになされたもので、本発明の一態様は、画像を送付する送付先に関する情報を取得する送付先情報取得部と、前記送付先に関する情報と、画像を送付する送付者に関する情報とから、一致する部分を抽出する一致部分抽出部と、前記一致部分抽出部が抽出した部分を用いて、複数の画像の中から、前記送付先に送付する送付画像を選択する送付画像選択部とを備えることを特徴とする情報処理装置である。
【０００７】
また、本発明の他の態様は、コンピュータを、画像を送付する送付先の嗜好を表す情報を取得する送付先情報取得部、前記送付先の嗜好を表す情報と、送付者の嗜好を表す情報とから、嗜好が一致している部分を抽出する一致部分抽出部、前記一致部分抽出部が抽出した部分を用いて、複数の画像の中から、前記送付先に送付する送付画像を選択する送付画像選択部として機能させるためのプログラムである。
【０００８】
また、本発明の他の態様は、コンピュータを、画像を送付する送付先の嗜好を表す情報を取得する送付先情報取得部、前記嗜好を表す情報に応じた画像処理を、前記画像に施す画像処理部、として機能させるためのプログラムである。
【発明の効果】
【０００９】
この発明によれば、画像を送付する送付者と、送付先とのコミュニケーションを深め易くすることができる。
【図面の簡単な説明】
【００１０】
【図１】この発明の第１の実施形態による情報処理装置１０の構成を示す概略ブロック図である。
【図２】同実施形態における送付先情報記憶部１１が記憶する送付先情報の例を示すテーブルである。
【図３】同実施形態におけるユーザ情報記憶部１２が記憶するユーザ情報の例を示すテーブルである。
【図４】同実施形態における画像記憶部１３が記憶する画像情報の例を示すテーブルである。
【図５】同実施形態における情報処理装置１０の動作を説明するフローチャートである。
【図６】この発明の第２の実施形態による情報処理装置１０ａの構成を示す概略ブロック図である。
【発明を実施するための形態】
【００１１】
［第１の実施形態］
以下、図面を参照して、本発明の第１の実施形態について説明する。図１は、本実施形態による情報処理装置１０の構成を示す概略ブロック図である。図１の情報処理装置１０は、ユーザ（送付者）が、ある送付先に画像を送付する際に、ユーザが所有する画像の中から、その送付先への送付に適した画像を選択する装置である。なお、パーソナルコンピュータ、タブレット端末、スマートフォンなどのコンピュータが、プログラムを読み込んで実行することで、図１の情報処理装置１０として機能する。
【００１２】
情報処理装置１０は、送付先情報記憶部１１、ユーザ情報記憶部１２、画像記憶部１３、送付先情報取得部１４、一致部分抽出部１５、送付画像選択部１６を含んで構成される。送付画像選択部１６は、候補画像抽出部１７、画像選択部１８、画像処理部１９を含んで構成される。
【００１３】
送付先情報記憶部１１は、送付先を特定する情報、送付先の属性情報、送付先の嗜好を表す情報、送付先の好みの画像処理を示す情報を含む送付先情報（送付先に関する情報）を対応付けて記憶する。送付先を特定する情報は、例えば、送付先の氏名であるが、氏名と住所であってもよいし、メールアドレス、ＳＮＳ（Social Networking Service）のアカウント、ＳＮＳのコミュニティなどであってもよい。送付先の属性情報は、性別、年齢、居住地、家族構成などである。送付先の嗜好を表す情報は、送付先の趣味など、送付先が興味を持っている事柄を表す情報である。また、送付先が好む画像処理を示す情報における画像処理は、モノクロ画像への変換、セピア調画像への変換、コントラストの強調、肌色のスムース化、ソフトフォーカス化などの画像の加工処理である。
【００１４】
ユーザ情報記憶部１２は、ユーザの属性情報、ユーザの嗜好情報を含むユーザ情報（送付者に関する情報）を記憶する。なお、ユーザの属性情報、嗜好情報は、送付先のそれらと同様である。画像記憶部１３は、ユーザが所有する画像の画像ファイルと、該画像に関する情報である画像情報とを記憶する。画像情報は、画像に含まれているオブジェクトと、該オブジェクトの写りの良さとを表す情報を含む。
【００１５】
送付先情報取得部１４は、情報処理装置１０が備えるマウス、キーボード、タッチパネルなどの入力デバイス（不図示）を用いた、ユーザによる送付先指定ａｄを受けて、該送付先指定ａｄにより指定された送付先の送付先情報を、送付先情報記憶部１１から読み出し、一致部分抽出部１５および画像処理部１９に入力する。なお、送付先情報取得部１４は、画像処理部１９には、送付先情報のうち、画像処理を示す情報のみを入力し、一致部分抽出部１５には、送付先の属性情報、送付先の嗜好情報のみを入力するようにしてもよい。
【００１６】
一致部分抽出部１５は、送付先情報取得部１４から入力された送付先情報と、ユーザ情報が記憶するユーザ情報とを比較し、一致する部分を抽出する。一致部分抽出部１５は、抽出した一致する部分を、候補画像抽出部１７に入力する。候補画像抽出部１７は、入力された一致する部分を用いて、画像記憶部１３が記憶する複数の画像の中から、送付先に送付する画像の候補である候補画像を複数抽出する。
【００１７】
候補画像を抽出する際に、候補画像抽出部１７は、画像記憶部１３が記憶する画像に、対応する画像情報を有さない、新規な画像があるときは、該画像の画像情報を生成し、画像記憶部１３に記憶させる。また、候補画像を抽出する際に、候補画像抽出部１７は、送付先情報記憶部１１を参照し、送付先情報取得部１４が取得した送付先ａｄに既に送付済の画像は、候補画像から外す。候補画像抽出部１７は、抽出した複数の候補画像を画像選択部１８に入力する。
【００１８】
画像選択部１８は、入力された複数の候補画像を、情報処理装置１０が備える液晶ディスプレイなどの画像表示デバイス（不図示）に表示する。画像選択部１８は、前述の入力デバイスを用いた、ユーザによる画像指定ｇを受けて、表示された候補画像のうち、画像指定ｇにより指定された画像を選択画像として、画像処理部１９に入力する。画像選択部１８は、指定された画像の画像ファイル名を、送付済画像として、送付先情報記憶部１１に送付先と対応付けて記憶させる。
【００１９】
画像処理部１９には、画像選択部１８から選択画像が入力され、送付先情報取得部１４から送付先情報が入力される。画像処理部１９は、入力された送付先情報に含まれる情報が示す、送付先の好みの画像処理を、入力された選択画像に対して施す。画像処理部１９は、画像処理を施す際に、画像処理の強度などのパラメータの値を予め複数用意しておき、各値を用いて選択画像を画像処理した結果の画像各々を、前述の画像表示デバイスに表示する。画像処理部１９は、前述の入力デバイスを用いた、ユーザによる処理指定ｍを受けて、表示された画像のうち、処理指定ｍにより指定された画像を、送付する送付画像として、出力する。
【００２０】
図２は、送付先情報記憶部１１が記憶する送付先情報の例を示すテーブルである。送付先情報記憶部１１が記憶する送付先情報は、図２に示すように、氏名、性別、年齢、居住地、家族、鉄道、自動車、飛行機、花、…、画像処理、送付済画像の項目を含む。なお、これらのうち、氏名が、送付先を特定する情報であり、性別、年齢、居住地、家族が属性情報であり、鉄道、自動車、飛行機、花、…が嗜好を表す情報である。
【００２１】
嗜好を表す情報の各項目は、「○」であれば、その項目が、送付先が興味を持っている項目であることを表し、「−」であれば、その項目が、送付先が興味を持っている項目でないことを表す。また、画像処理は、送付先の好みの画像処理を示す情報であり、送付済画像は、送付先に送付済の画像のファイル名である。
【００２２】
図２の例では、一つ目の送付先情報として、氏名「鈴木ＸＸ」、性別「男」、年齢「６０代」、居住地「大阪」、家族「女、６０代、男、３０代、女、３０代、男、０〜３才」、鉄道「○」、自動車「−」、飛行機「−」、花「○」、…、画像処理「彩度強調」、送付済画像「ａａａ．ｊｐｇ、ｃｃｃ．ｊｐｇ」が対応付けられた情報が記載されている。また、二つ目の送付先情報として、氏名「山田ＹＹ」、性別「男」、年齢「３０代」、居住地「東京」、家族「なし」、鉄道「−」、自動車「○」、飛行機「−」、花「−」、…、画像処理「ソフトフォーカス化」、送付済画像「ｄｄｄ．ｊｐｇ」が対応付けられた情報が記載されている。
【００２３】
図３は、ユーザ情報記憶部１２が記憶するユーザ情報の例を示すテーブルである。ユーザ情報記憶部１２が記憶するユーザ情報は、図３に示すように、性別、年齢、居住地、家族、鉄道、自動車、飛行機、花、…の項目を含む。なお、これらのうち、性別、年齢、居住地、家族が属性情報であり、鉄道、自動車、飛行機、花、…が嗜好を表す情報である。
【００２４】
図２と同様に、嗜好を表す情報の各項目は、「○」であれば、その項目が、ユーザが興味を持っている項目であることを表し、「−」であれば、その項目が、ユーザが興味を持っている項目でないことを表す。図３の例では、ユーザ情報として、性別「男」、年齢「３０代」、居住地「東京」、家族「女、３０代、男、０〜３才」、鉄道「○」、自動車「○」、飛行機「−」、花「−」、…、が記載されている。
【００２５】
図４は、画像記憶部１３が記憶する画像情報の例を示すテーブルである。画像記憶部１３が記憶する画像情報は、図４に示すように、画像ファイル名、性別、年齢、写りの良さ、場所、鉄道、自動車、飛行機、花、…の項目を含む。なお、これらのうち、画像ファイル名は、画像ファイルのファイル名である。また、性別、年齢は、画像中の人物各々の性別と年齢であり、写りの良さは、画像中の人物各々の写りの良さを表す値であり、場所は、撮影された場所である。また、鉄道、自動車、飛行機、花、…は、画像中にその物の画像が含まれているか否かと、含まれているときはその物の写りの良さを示す。
【００２６】
なお、写りの良さを示す値は、公知のどのような方法を用いてもよいが、例えば、その人または物（以降、まとめてオブジェクトという）が画像中に占める面積、そのオブジェクトの領域の空間周波数の高周波成分の大きさなどの線形結合により算出される。また、人物であれば、笑顔であれば、写りがより良いとして、所定の値を加算するなど、表情を検出し、該検出結果を用いるようにしてもよい。
【００２７】
図４の例では、一つ目の画像情報として、画像ファイル名「ＸＸＸＸ．ｊｐｇ」、性別「−」、年齢「−」、写りの良さ「−」、場所「東京」、鉄道「１０」、自動車「−」、飛行機「−」、花「−」、…が対応付けられた情報が記載されている。また、二つ目の画像情報として、画像ファイル名「ＹＹＹＹ．ｊｐｇ」、性別「男、女、女」、年齢「３０代、３０代、０〜３才」、写りの良さ「５、５、３」、場所「千葉」、鉄道「−」、自動車「−」、飛行機「−」、花「２」、…が対応付けられた情報が記載されている。
【００２８】
なお、性別、年齢、写りの良さには、それぞれ３つの値を有しているが、それぞれにおける一つ目の値は、同じ人物に関する値である。同様に、それぞれにおける二つ目の値は、同じ人物に関する値であり、それぞれにおける三つ目の値は、同じ人物に関する値である。また、三つ目の画像情報として、画像ファイル名「ＺＺＺＺ．ｊｐｇ」、性別「−」、年齢「−」、写りの良さ「−」、場所「−」、鉄道「−」、自動車「１５」、飛行機「−」、花「−」、…が対応付けられた情報が記載されている。
【００２９】
図５は、情報処理装置１０の動作を説明するフローチャートである。送付先情報取得部１４は、ユーザによる送付先の指定を取得する（Ｓ１）。次に、送付先情報取得部１４は、指定された送付先の送付先情報を、送付先情報記憶部１１から読み出す（Ｓ２）。一致部分抽出部１５は、ユーザ情報記憶部１２が記憶するユーザ情報を読み出し、ステップＳ２で読み出した送付先情報と、該ユーザ情報とで、一致する部分を抽出し、候補画像抽出部１７に入力する（Ｓ３）。
【００３０】
本実施形態において、送付先情報とユーザ情報との一致部分とは、嗜好を表す情報においては、両者において「○」となっている項目を表す。すなわち両者が好む項目を表す。また、属性情報においては、両者の家族のうち、性別および年齢が一致している人物を表す。なお、性別および年齢ではなく、年齢のみの一致としてもよい。
【００３１】
例えば、読み出した送付先情報が、図２の一つ目の送付先情報であれば、図３のユーザ情報と一致しているのは、属性情報においては一致している人物はいないが、嗜好を表す情報においては自動車の「○」が一致している。また、読み出した送付先情報が、図２の二つ目の送付先情報であれば、図３のユーザ情報と一致しているのは、属性情報においては、性別「女」、年齢「３０代」と、性別「男」、年齢「０〜３才」とであり、嗜好を表す情報においては鉄道の「○」である。
【００３２】
次に、候補画像抽出部１７は、画像記憶部１３を参照して、新規の画像があるか否かを判定する（Ｓ４）。新規の画像があるか否かは、例えば、該画像の画像情報を画像記憶部１３が記憶しているか否かにより判定する。新規の画像が無いときは（Ｓ４−Ｎｏ）、ｊ直接ステップＳ６に進む。新規の画像があるときは（Ｓ４−Ｙｅｓ）、候補画像抽出部１７は、その新規の画像の画像情報を生成し、画像記憶部１３に記憶させる（Ｓ５）。次に、候補画像抽出部１７は、一致部分抽出部１５から入力された一致部分のいずれかの項目と、画像情報が一致している画像を、画像記憶部１３から、候補画像として抽出し、する（Ｓ６）。このとき、候補画像抽出部１７は、ステップＳ１で指定された送付先の送付先情報に含まれる送付済画像を、候補画像の対象から外す。
【００３３】
なお、候補画像として抽出する画像の数には上限を設けてもよい。この場合、一致部分と画像情報とで一致している項目に関する写りの良さが良いものから順に選ぶようにすると、利用者と送付先の両者が興味を持っているオブジェクトが良く写っている画像を選択できるので好ましい。一致している項目が複数あるときは、それらの中で写りの良さが最も良い項目を基準にしてもよいし、それらの項目の写りの良さを示す値の合計を基準にしてもよい。
【００３４】
本実施形態において、一致部分のいずれかの項目と、画像情報が一致しているとは、一致部分に含まれている項目のいずれかと同じ項目について、画像情報が写りの良さを表す値を有していることである。例えば、前述の送付先情報が、図２の一つ目の送付先情報であるときは、一致部分は、家族の「女、３０代、男、０〜３才」と、鉄道の「○」であるので、図４の画像情報のうち、鉄道が「１０」である、一つ目の画像ファイル名「ＸＸＸＸ．ｊｐｇ」の画像情報と、家族に「女、３０代、男、０〜３才」が含まれている二つ目の画像ファイル名「ＹＹＹＹ．ｊｐｇ」の画像情報とが、一致部分と一致している。
【００３５】
なお、ここでは、一致部分の家族「女、３０代、男、０〜３才」は二人分の情報であり、二つ目の画像情報には、該二人分の情報が全て含まれているが、該二人分の情報のうち、一人分のみが含まれていても、一致部分と一致しているとみなしてもよい。あるいは、年齢のみで一致しているとみなしてもよい。
また、前述の送付先情報が、図２の二つ目の送付先情報であるときは、一致部分は、自動車の「○」であるので、自動車が「１５」である三つ目の画像ファイル名「ＺＺＺＺ．ｊｐｇ」の画像情報が、一致部分と一致している。
【００３６】
次に、画像選択部１８は、候補画像として抽出された画像を表示する。ユーザが、表示された画像の中から、送付する画像を指定すると、画像選択部１８は、該画像の指定（画像指定ｇ）を取得する（Ｓ７）。画像指定ｇを取得すると、画像選択部１８は、画像指定ｇにより指定された画像のファイル名を、送付済画像として、ステップＳ２で読み出した送付先情報に追加して送付先情報記憶部１１に記憶させる（Ｓ８）。
【００３７】
次に、画像処理部１９は、ステップＳ２で読み出した送付先情報から、画像処理の項目を抽出する（Ｓ９）。次に、画像処理部１９は、ステップＳ７にて指定された画像に対して、ステップＳ９にて抽出した画像処理を、処理強度などのパラメータの値を変えて施した複数の画像を、表示する（Ｓ１０）。ここで、パラメータの値を変えて施した複数の画像とは、例えば、画像処理が彩度強調であり、パラメータが処理強度であれば、処理強度を大として彩度強調を施した画像と、処理強度を中として彩度強調を施した画像と、処理強度を小として彩度強調を施した画像とを指す。また、画像処理がソフトフォーカス化であり、パラメータが処理強度であれば、処理強度を大としてソフトフォーカス化を施した画像と、処理強度を中としてソフトフォーカス化を施した画像と、処理強度を小としてソフトフォーカス化を施した画像とを指す。また、画像処理が色味変更であり、パラメータが色味であれば、セピア調に変更した画像と、モノクロ調に変更した画像とを指す。また、画像処理がフレーム（枠）の追加であり、パラメータがフレームの種類であれば、様々なフレームを追加した画像を指す。また、画像処理は、モザイク化、スケッチ画風に変更、水彩画風に変更、解像度変更などの処理であってもよい。
【００３８】
次に、ユーザが、表示された画像の中から、送付する画像を指定すると、画像処理部１９は、該指定（処理指定ｍ）を取得し（Ｓ１１）、指定された画像を送付画像ｏとして出力する（Ｓ１２）。
【００３９】
なお、本実施形態では、送付先情報やユーザ情報において、家族の情報として、家族の性別と年齢とを含めているが、性別と年齢ではなく、顔認識で用いる顔の特徴量を表す情報を含めるようにしてもよい。その場合、画像情報においても、画像中の人の性別と年齢ではなく、顔の特徴量を表す情報を含める。
また、送付先情報およびユーザ情報には、性別、年齢、居住地ではなく、興味を持っている人物の性別、年齢、あるいは興味を持っている場所を含めてもよい。
【００４０】
また、画像記憶部１３が、画像情報を記憶し、候補画像抽出部１７は、画像情報を参照して候補画像を抽出しているが、画像記憶部１３が画像情報を記憶しておらず、候補画像抽出部１７が、候補画像を抽出する際に、画像認識などにより、各画像情報を生成するようにしてもよい。
【００４１】
また、送付先情報が、送付先のユーザとの関係を示す情報を含んでおり、送付先情報取得部１４は、該ユーザとの関係を示す情報に応じて、嗜好を表す情報を追加し、各部は、嗜好を表す情報が追加された送付先情報を用いるようにしてもよい。例えば、該情報が、ユーザの親や親戚であることを示しているときは、嗜好を表す情報に、ユーザの子供を加え、該情報が、ユーザのツーリング仲間であれば、嗜好を表す情報に、バイクを加えるなどしてもよい。この場合、送付先情報取得部１４は、関係を示す情報各々と、関係を示す情報に応じて、追加する嗜好情報とを対応付けるテーブルを、予め記憶しておき、該テーブルを参照して、嗜好を表す情報を追加する。
【００４２】
また、情報処理装置１０は、画像記憶部１３を備えず、候補画像抽出部１７は、ネットワークを介して接続されるオンラインストレージ、ＮＡＳ（Network Attached Storage）などが記憶する画像ファイル、画像情報を読み出すようにしてもよい。あるいは、候補画像抽出部１７は、ネットワークを介して接続されるオンラインストレージ、ＮＡＳ（Network Attached Storage）などと画像記憶部１３とが記憶する画像ファイル、画像情報を読み出すようにしてもよい。
【００４３】
このように、情報処理装置１０は、送付先情報取得部１４（取得部）と、一致部分抽出部１５（抽出部）と、送付画像選択部１６（選択部）とを備える。送付先情報取得部１４は、画像を送付する送付先に関する情報である送付先情報を取得する。一致部分抽出部１５は、送付先情報と、画像を送付する送付者（ユーザ）に関する情報であるユーザ情報とから、一致する部分を抽出する。送付画像選択部１６は、一致部分抽出部１５が抽出した一致する部分を用いて、画像記憶部１３が記憶する複数の画像の中から、送付先に送付する送付画像を選択する。
【００４４】
これにより、ユーザと、送付先との共通する部分に応じた画像を、送付する画像とし、ユーザと送付先とのコミュニケーションを深め易くすることができる。
【００４５】
また、送付画像選択部１６は、画像記憶部１３が記憶する画像の中から、一致部分抽出部１５が抽出した一致する部分に応じたオブジェクトの画像を含む画像を、送付画像として選択する。
これにより、ユーザと、送付先との共通する部分に応じたオブジェクトを含む画像を、送付する画像とし、ユーザと送付先とのコミュニケーションを深め易くすることができる。
【００４６】
また、送付画像選択部１６は、画像記憶部１３が記憶する画像のうち、少なくとも一部について、一致部分抽出部１５が抽出した一致する部分に応じたオブジェクトの写りの良さを示す値を用いて、送付画像を選択する。
これにより、ユーザと、送付先との共通する部分に応じたオブジェクトの写りが良い画像を、送付する画像とし、ユーザと送付先とのコミュニケーションを深め易くすることができる。
【００４７】
また、送付画像選択部１６は、一致部分抽出部１５が抽出した一致する部分を用いて、画像記憶部１３が記憶する画像の中から複数の候補画像を抽出し、複数の候補画像のうち、ユーザが指定した画像を送付画像とする。
これにより、ユーザと、送付先との共通する部分に応じた画像のうち、ユーザが直接指定した画像が、送付する画像となるので、ユーザの意図に沿わない画像を送ってしまうことを防ぐことができる。
【００４８】
また、送付画像選択部１６は、過去に送付画像として選択した画像を、同一の送付先の送付画像として選択しない。
これにより、過去に送ったことのある画像を、再度送ってしまうことを防ぐことができる。
【００４９】
また、情報処理装置１０は、画像を送付する送付先が好む画像処理を示す情報を取得する送付先情報取得部１４と、該情報が示す画像処理を、画像に施す画像処理部とを備える。
これにより、送付先が好む画像処理を画像に施して送付することができる。
【００５０】
［第２の実施形態］
以下、図面を参照して、本発明の第２の実施形態について説明する。第１の実施形態は、ユーザが設定するなどした送付先情報を、送付先情報記憶部１１が予め記憶しているが、第２の実施形態は、ネットワークを介して、送付先が所有あるいは公開している画像を参照して、該送付先の嗜好を推定し、嗜好を表す情報を生成する。
【００５１】
図６は、本実施形態における情報処理装置１０ａの構成を示す概略ブロック図である。同図において、図１の各部に対応する部分には同一の符号（１１〜１３、１５、１６、１８、１９）を付し、説明を省略する。情報処理装置１０ａは、図１の情報処理装置１０とは、送付先情報取得部１４、候補画像抽出部１７に変えて、送付先情報取得部１４a、候補画像抽出部１７ａを備え、送付先情報取得部１４ａおよび候補画像抽出部１７ａがネットワーク２０を介して送付先画像記憶装置２１に通信接続している点が異なる。ネットワーク２０はインターネットなどのネットワークである。送付先画像記憶装置２１は、ファイル共有サービスや画像公開サービスを提供するサーバであり、送付先が少なくともユーザに公開している画像を記憶している。
【００５２】
送付先情報取得部１４ａは、図１の送付先情報取得部１４と同様であるが、さらに、ネットワーク２０を介して、送付先が公開している画像を送付先画像記憶装置２１から取得し、取得した画像から送付先の嗜好を表す情報を生成する。具体的には、送付先情報取得部１４ａは、送付先が公開している画像を、送付先画像記憶装置２１から取得し、取得した各画像に含まれているオブジェクトを画像認識により検出する。送付先情報取得部１４ａは、検出したオブジェクトを、嗜好を表す情報の項目で分類し、各項目について、検出したオブジェクトの数をカウントする。
【００５３】
送付先情報取得部１４ａは、そして、送付先情報取得部１４ａは、検出したオブジェクトの数が、総画像数の所定の割合を越えている項目を、その送付先が興味を持っているとして、該送付先の嗜好を表す情報を生成する。送付先情報取得部１４ａは、生成した嗜好を表す情報を、送付先情報記憶部１１に記憶させる。なお、送付先情報取得部１４ａは、このような嗜好を表す情報の生成を、送付先が指定される度に行ってもよいし、定期的に行ってもよい。
【００５４】
なお、送付先情報取得部１４ａは、送付先情報の各項目のうち、画像処理も、送付先画像記憶装置２１から取得した画像から、生成するようにしてもよい。具体的には、送付先情報取得部１４ａは、送付先が公開している画像を、送付先画像記憶装置２１から取得し、取得した各画像に施されている画像処理を検出する。送付先情報取得部１４ａは、そして、送付先情報取得部１４ａは、検出した画像処理のうち、同じ画像処理を施されている画像の数が、総画像数の所定の割合を越えている項目を、その送付先が興味を持っているとして、送付先情報の画像処理に追加する。画像に施されている画像処理の検出は、画像ファイル中のタグから読み取るようにしてもよい。あるいは、フレームなどの追加であれば、追加された画像を検出するようにしてもよい。セピア調や、モノクロ調であれば、画素値の分布から検出するようにしてもよい。
【００５５】
候補画像抽出部１７ａは、図１の候補画像抽出部１７と同様に、画像記憶部１３が記憶する画像から候補画像を抽出する。ただし、一致部分に対応するオブジェクトであって、送付先画像記憶装置２１が記憶する画像に含まれていないオブジェクトを含むことという条件が、図１の候補画像抽出部１７における候補画像とする条件に加わっている。これにより、例えば、ユーザと送付先とが鉄道に興味を持っているときに、送付先が所有していない電車の写真を候補画像とすることができる。
【００５６】
なお、送付先情報のうち、送付先の属性情報については、ユーザが設定するなどした情報を用いる。また、送付先画像記憶装置２１は、送付先ごとに異なる装置であってもよいし、一つの送付先に対して、複数の装置があってもよい。
【００５７】
情報処理装置１０ａにおいても、情報処理装置１０と同様の効果を得ることが出来る。
また、送付先情報取得部１４ａは、送付先が少なくともユーザに公開している画像を参照して、送付先の嗜好を表す情報を生成する。
これにより、送付先の嗜好を取得することができる。
【００５８】
また、候補画像抽出部１７ａは、一致部分抽出部１５が抽出した部分に対応するオブジェクトであって、送付先が少なくともユーザに公開している画像に写っていないオブジェクトの画像を含む画像を、画像記憶部１３が記憶している画像の中から、候補画像として選択する。
これにより、送付先が既に公開している画像に写っていないオブジェクトが写っている画像を、送付画像とすることができる。
【００５９】
また、図１における情報処理装置１０、図６の情報処理装置１０ａの機能を実現するためのプログラムをコンピュータ読み取り可能な記録媒体に記録して、この記録媒体に記録されたプログラムをコンピュータシステムに読み込ませ、実行することにより各装置を実現するようにしてもよい。なお、ここでいう「コンピュータシステム」とは、ＯＳや周辺機器等のハードウェアを含むものとする。
【００６０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６１】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００６２】
１０、１０ａ…情報処理装置
１１…送付先情報記憶部
１２…ユーザ情報記憶部
１３…画像記憶部
１４、１４ａ…送付先情報取得部
１５…一致部分抽出部
１６…送付画像選択部
１７、１７ａ…候補画像抽出部
１８…画像選択部
１９…画像処理部
２０…ネットワーク
２１…送付先画像記憶装置
【図１】
2015069306.tif 000003
【図２】
2015069306.tif 000004
【図３】
2015069306.tif 000005
【図４】
2015069306.tif 000006
【図５】
2015069306.tif 000007
【図６】
2015069306.tif 000008